Podtech/llm-jp-corpus-v4-ja_patent huggingface dataset:
(57)【要約】【課題】部屋の中の人間や物の帯電を除去する除電装置を提供する。【解決手段】除電装置をエアコンに装着する。その場合、除電装置をはエアコンのエア吹きだし口に配置する。または、除電装置をエア吹きだし口のフィンに組み込む。または、除電装置をエアコンのエア吹きだし口のフィンに取付ける。除電装置がテープ状の除電器であることが好ましい。さらに、除電装置の印加電圧が低周波数で直流電圧を切り替えられるものである。【選択図】  図１
2005042988.tif 000002
【特許請求の範囲】
【請求項１】
エアコンに装着することを特徴とする除電装置。
【請求項２】
請求項１記載の除電装置において、エアコンのエア吹きだし口に配置されること特徴とする除電装置。
【請求項３】
請求項２記載の除電装置において、エア吹きだし口のフィンに組み込んだことを特徴とする除電装置。
【請求項４】
エアコンのエア吹きだし口のフィンに取付けることを特徴とする除電装置。
【請求項５】
請求項１〜４のいずれか１つに記載の除電装置において、除電装置がテープ状の除電器であることを特徴とする除電装置。
【請求項６】
請求項１〜５のいずれか１つに記載の除電装置において、除電装置の印加電圧が低周波数で直流電圧を切り替えられるものであることを特徴とする除電装置。
【請求項７】
請求項１〜６に記載の除電装置を備えたエアコン。
【発明の詳細な説明】
【技術分野】
【０００１】
本発明は、除電装置に関し、特にエアコン（空調機）用除電装置に関する。
【背景技術】
【０００２】
従来、エアコンに装着する除電装置は存在しなかった。
【発明の開示】
【発明が解決しようとする課題】
【０００３】
従来はこのようなエアコン用除電装置が存在しなかったので、部屋の中を歩いたり、部屋の中で動作する人間に帯電した静電気を除去することは難しかった。
【０００４】
ただ人間に除電装置を携帯させる方法はあったが、かさばる除電装置を携帯することは動作上不便であり、工場等の必要不可欠の場合以外は使われないことが多かった。例えば、ホテルの廊下の絨毯の上を歩行動作した人は絨毯と靴との摩擦により帯電し易く、帯電した人が部屋のドアを開けようとノブに触った瞬間に感電してびっくりするケースが頻発しているが、現実的な良い対策方法が存在しなかった。特に、心臓障害を持った人にとっては命に係る問題であり，早急な対策が要請されていた。
【０００５】
したがって、本発明の目的は、部屋の中の人間や物の帯電を除去する除電装置を提供することにある。
【課題を解決するための手段】
【０００６】
前記目的を達成するために、本発明は、エアコンに装着することを特徴とする除電装置を採用するものである。また、エアコンのエア吹きだし口に装着すること特徴とする除電装置を採用するものである。また、エアコンのエア吹きだし口のフィンに組み込んだことを特徴とする除電装置を採用するものである。また、エアコンのエア吹きだし口のフィンに取付けたことを特徴とする除電装置を採用するものである。さらに、上記いずれかの除電装置において、除電装置がテープ状の除電器であることが好ましく、除電装置の印加電圧が低周波数で直流電圧を切り替えられるものであることが好ましい。
【発明の効果】
【０００７】
本発明では、部屋の中の人間や物の帯電を除去する除電装置が得られる。
【発明を実施するための最良の形態】
【０００８】
【実施例１】
【０００９】
図１に本発明の実施例１の除電装置を示す。図１において、エアコン１０の吹き出し口１２に設けられているフィン１４に除電装置のコロナ放電用の放電針（放電電極）１６を装備させる。図４に参照して後述するように、この除電装置（全体を表示するのは省略し，放電針１６だけを表示する）は電源からの交流電圧を電子装置（＋および−直流電圧に変換するコンバータ）および放電針が配列された導体を介して＋および−直流電圧に変換して放電針１６に交互に印加する。したがって、放電針１６からは＋と−のイオンが交互に発生される。  
【００１０】
この放電針１６によって作られたイオンはエアコン１０から吹き出される風に乗って部屋全体に送られる。この結果、部屋の中の人間や物に帯電している静電気は全て除去される。
【実施例２】
【００１１】
図２に本発明の実施例２の除電装置を示す。この除電装置２０は既存のエアコンに後付けで装着されるものである。除電装置２０は細長いテープ状のものであり、長手方向に複数の放電針１６が設けられており、フィン１４の片側(又は両側)に接着または固着される。放電針から発生されたイオンはエアコンの吹き出し風に乗せてフィンの方向に放出され、遠くまで運ばれる。
【実施例３】
【００１２】
図３に本発明の実施例３の除電装置を示す。図３において、除電装置は天井取付け型のエアコン１０に装備されており、イオンはエアコンから吹き出される風に乗って部屋の隅まで運ばれる。
【００１３】
図４は実施例１〜３の除電装置の放電針に印加される波形を示す。従来の交流式や直流式でもなく、またパルス式でもない独特のものであり、直流を切り替える方式である。すなわち、放電針から放射されるイオンは＋と−の極性に交互に切り替わる。その極性の切り替えの周期は数秒から数十秒という非常にゆっくりしたサイクルである。この結果、イオンは、部屋の隅まで到達する間、逆極性にならないので、イオン同士の再結合による消滅が抑えられる。
【００１４】
図５は除電効果範囲を示す。従来の除電装置をエアコンに装着するとイオンの有効距離は１．５ｍでとても部屋の隅々までイオンを行き渡らすことはできない。これに対して本発明の除電装置では、その実測値が６から８ｍほどであり、イオンを部屋の隅まで至らすことができ、隅まで除電することができる。
【図面の簡単な説明】
【００１５】
【図１】図１は本発明の実施例１の除電装置を示す概略図である。
【図２】図２は本発明の実施例２の除電装置を示す概略図である。
【図３】図３は本発明の実施例３の除電装置を示す概略図である。
【図４】図４は本発明の実施例１〜３の除電装置に適用される印加電圧を示すグラフである。
【図５】図５は本発明の除電装置と従来の除電装置の除電効果範囲を説明するための図である。
【符号の説明】
【００１６】
１０      エアコン
１２      吹き出し口
１４      フィン
１６      放電針
【図１】
2005042988.tif 000003
【図２】
2005042988.tif 000004
【図３】
2005042988.tif 000005
【図４】
2005042988.tif 000006
【図５】
2005042988.tif 000007
(57)【要約】【目的】  主に配管工事等で、ネジ部やはめ込み部の元で折れたり切れたりした部分を抜き取る物が無く、大変な労力と時間と経費を費やしていた事を課題にし、これを解決するために専用工具の開発を目的にしたものである。【構成】  配管ｂに折れて残った折れた物ａの中に、本体１とテーパー棒２とナット３を組み込んだ物を入れる。ナット３を廻すとテーパー棒２で本体１のすり割が広がり折れた物ａに食い込み一体化する。そして本体１をスパナ等で廻すのである。【効果】  前項のようにして容易に折れた物を取り外す事が出来る事によって、これまでの大変な労力と時間と経費を費やしていた事が解決されるのである。【選択図】  図１
2005042905.tif 000002
【特許請求の範囲】
【請求項１】
中空状の筒で先側には縦のすり割があって外周には角張ったり突起物があり、その中空状の中に、先側には先太りのテーパーがあって反対側にネジ部がある棒状のものを入れ、そのネジ部にナットを付けた抜き工具。
【請求項２】
相手側に入る中空状の筒の外周を角張ったり突起物のあるものにした抜き工具。
【発明の詳細な説明】
【発明の詳細な説明】
【技術分野】
【０００１】  本発明は、主に配管工事などで、ネジ部やはめ込み部の元で折れたり切れたりした部分を抜き取る時に使用するもので、作業工具に関するものである。
【背景技術】
【０００２】  これまで、例えば配管工事などで、ネジ部やはめ込み部の元で折れたり切れたりした部分を抜き取る専用工具は無く、現存する工具を使い合わせながら工夫して行ったり、諦めていたのである。
【発明が解決しようとする課題】
【０００３】  例えば配管工事などで、ネジ部やはめ込み部の元で折れたり切れたりした部分を抜き取る専用工具は無く、大変な苦労をしたり場合によっては諦めて交換したりし、時間とお金を掛けていのである。  前記課題に着目し、専用工具を提供することを目的とするものである。
【課題を解決するための手段】
【０００４】  前記目的は、中空状の筒で先側には縦のすり割があって外周は角張ったり突起物があり、中空状のその中に、先側には先太りのテーパーがあって反対側にネジ部がある棒状のものを入れ、そのネジ部にナットを付けた抜き工具によって達成される。
【実施例】
【０００５】  配管工事などで、ネジ部やはめ込み部で折れたり切れたりする事がまゝあるのである。こんな時、現存する工具を駆使し挑戦していて悪戦苦闘していたのである。その結果成し得られゝばホッとするものであるが、出来なければ諦めざるを得ず費やした労力と時間が無駄になりしかも材料費や工事費が倍になってしまっていたのである。このようなこれまでの事を本発明は一挙に解決するのである。  本発明の一実施例を図に基づいて説明する。配管ｂに折れて残った折れた物ａの中に、本体１とテーパー棒２とナット３を組み込んだものを入れる。ナット３を廻すとテーパー棒２で本体１のすり割が広がり折れた物ａに食い込み一体化させる。そして本体１をスパナ等で廻すと折れた物ａがいっしょに廻り取外す事が出来るのである。【０００６】  前項「０００５」の配管以外の物で、例えば穴の無い棒状のボルト等が折れたり切れたりした時にも活用出来るのである。それは、折れたり切れたりした棒状の中心部にドリル等で穴を開け、前項「０００５」と同様にするのである。  以上の様に、作業をする者にとっては注意を怠らなくとも万が一の発生は防げなかったのである。本発明はそれを解決してくれるのである。これ程心強いのは無いのもである。
【発明の効果】
【０００７】  以上述べたように本発明によれば、中空状の筒で先側には縦のすり割があって外周は角張ったり突起物があり、中空状のその中に、先側には先太りのテーパーがあって反対側にネジ部がある棒状のものを入れ、そのネジ部にナットを付けた抜き工具によって、ネジ部やはめ込み部の元で折れたり切れたりした部分を容易に抜き取る事が出来、これまで費やしていた労力や時間や経費が最小限で済むようになるものである。
【図面の簡単な説明】
【図１】本発明の一実施例で、中空状の筒の概観図。
【図２】本発明の一実施例で、棒状のものにナットを付けた図。
【図３】本発明の一実施例で、組立図。
【図４】本発明の一実施例で、ナットを締め付け筒のすり割が広がった事を示した図。
【図５】本発明の一実施例で、元で折れた物に本発明を挿入した実例を示した図。
【図６】本発明の一実施例で、元で折れた物に本発明を挿入し、ナットを締め付け筒のすり割が広がり、本発明が折れた物に食い込み一体化した実例を示した図。
【符号の説明】
１    本体        ２    テーパー棒        ３    ナット        ａ    折れた物        ｂ    配管
【図１】
2005042905.tif 000003
【図２】
2005042905.tif 000004
【図３】
2005042905.tif 000005
【図４】
2005042905.tif 000006
【図５】
2005042905.tif 000007
【図６】
2005042905.tif 000008
(57)【要約】【課題】  当社従来の技術における錫ベース鉛フリー半田および錫鉛ベース半田のリサイクル精錬に於いては、鉄、ニッケル等の除去精錬は設備が大きく、工程も多く、また、リサイクル精錬にあたる担当者の熟練も要求されるので、より簡単な技術が望まれていた。【解決手段】  当社従来の低温域における半田リサイクル精錬から、高温域で銅添加による銅と鉄、ニッケル等を結びつける事により、溶解融点の高い各共晶体を発生させ、再度融点近くまで温度を下げる事により、鉄、ニッケル等を分離除去する。【特許請求の範囲】
【請求項１】
鉛フリー半田および鉛入り半田の精錬に於ける不要物質除去の為の銅分添加。
【請求項２】
鉛フリー半田および鉛入り半田に含ませた銅分と鉄、ニッケル等との高融点共晶体の生成析出法。
【請求項３】
半田精錬（鉛フリー半田を含む）に於ける鉄、ニッケル等と銅との析出共晶体と半田残存溶融物との溶解温度差を利用した除去。
【請求項４】
共晶体精錬において不純物として介在する比重の半田より軽い亜鉛、アルミニューム、非金属、金属酸化物等の除去。
【請求項５】
共晶体生成技術による精錬。
【発明の詳細な説明】
【技術分野】
【０００１】  本発明は、例えば錫、鉛半田の錫６３％鉛３７％の組成を共晶半田と言うが、この組成が錫、鉛半田の中で最も低融点で有り、合金状態が均一で安定している。この様な金属合金状態を共晶体と呼んでいるが、多くの金属にこの様な関係が成り立つ。今回は銅と鉄、ニッケル等の間で半田より高融点の共晶体を作り、取り除く精錬方法ですが、当社の技術の中には反対に、高融点物質の中から低融点共晶体を取り出して精錬する場合もありますので、これらの技術を共晶体精錬と呼ぶ事が出来ると思います。従来の鉛、錫半田リサイクル精錬における当社開発の同様の低温処理技術を逆の観点から、鉛フリー半田、または一般的な錫、鉛半田に適量の銅を溶融添加し、高温域において、銅と鉄、ニッケル等との高融点共晶体を生成凝固させる事により、半田の溶融状態から分離除去した。
【背景技術】
【０００２】  当社従来の技術では、除去装置が大掛かりになり、リサイクル精錬に於ける所要時間も長く掛って、また人手も多くかかった。【０００３】  そこで簡単な設備で片手間に行なえる当技術の有利性を考慮して、開発した。
【発明の開示】
【発明が解決しようとする課題】
【０００４】  従来の技術では工程が多く、リサイクルにおける精錬コストが掛り過ぎるし、作業に当たっては、従業員の熟練度も重要な作業要素であった。
【課題を解決するための手段】
【０００５】  上記の問題点を解決する為に、逆転発想から、当社の従来技術であった錫、鉛半田の鉄、ニッケル等の除去技術を簡素化し、鉛フリー半田精錬にも適合させた。
【発明の効果】
【０００６】  本発明は環境問題による半田材料の鉛を含む半田から、鉛を使わない鉛フリー半田への移行に沿って開発された新しい技術です。この技術により不要成分が除去されるので、リサイクルした、半田材料の用途が大きくひろがります。
【発明を実施するための最良の形態】
【０００７】  本発明は、精錬素材を溶解赤熱させ、銅を添加して、不純物として溶け込んだ鉄、それに特殊成分として含まれる、ニッケル等を除去して、成分の減少を図り、多用途素材に仕上げる作業です。
【実施例１】
【０００８】  精錬素材を溶解赤熱し、銅を必要量添加する。成分として銅を含む鉛フリー半田も有るが、含む銅分が少ないので、多くは添加を必要とする。添加量は鉄、ニッケル等の量に比例するが、それらの量に関わらず一定の量、銅の添加が必要である。
【実施例２】
【０００９】  良く攪拌し、赤熱状態から自然冷却すると、温度が下がり溶融金属表面に銅と鉄、ニッケル等の共晶体が析出してくる。その際比重の軽い亜鉛、アルミニューム等の金属、それに非金属、酸化物等も共晶体に介在する形で析出する。
【実施例３】
【００１０】  融点近くなり、共晶体が金属表面に、板状析出した段階でそれらを掬い上げる。
【実施例４】
【００１１】  残存銅分が多いので、銅分を除去するが、銅の残存を売却先が希望する場合は当社の低温流下炉で不必要銅分を除去する。
【実施例５】
【００１２】  銅の完全な除去が要求される場合は、以前から普遍的に行なわれている半田の脱銅技術を使い、硫黄で銅分を完全に除去する。
【実施例６】
【００１３】  鋳型に流し込み成型、製品とする。
【産業上の利用可能性】
【００１４】  共晶体精錬は精錬に於いて、多くの利用可能性が見込まれる。【００１５】  多くの金属に於いて共晶体生成技術が進んで行けば、新合金が開発される可能性がある。
(57)【要約】【課題】  植物としての山椒を、釜で成分を煮だし、その組成物を油膜取りや食器洗剤としての使用方法を提供する。【解決手段】  山椒を煮出した液体を洗浄剤として使用することにより、自動車のフロントガラスの油膜取りや、食器の油汚れを洗い流すことが出来、自然の植物を使用しているので環境汚染に配慮していることが特徴である。【特許請求の範囲】
【請求項１】
山椒の枝や葉を釜で煮出し、その煮出した組成物を洗浄のため自動車などのフロントガラスに掛けたり、ウォッシャータンクに入れ吹付けたりして布やワイパーで油膜を拭取ったり、また、油で汚れた食器に直接組成物を吹付け、食器洗い用たわしで擦り油汚れの洗浄に使う方法。
【発明の詳細な説明】
【技術分野】
【０００１】
この発明は、山椒の枝や葉を煮出した組成物を活用し、油膜や油汚れの洗浄に使用する方法に関するものである。
【背景技術】
【０００２】
従来、油汚れの洗浄には、洗剤等が使用されている。
【発明の開示】
【発明が解決しようとする課題】
【０００３】
これは次のような欠点があった。
洗剤等では油汚れの落ちにくい場合があり、また洗剤等が引き起こす水質汚染といった環境悪化の問題があった。
本発明は以上の欠点を解決し、効果的に油汚れの洗浄を行ない、環境汚染を防止するために、山椒の煮出し液組成物を幅広く使用するものである。
【課題を解決するための手段】
【０００４】
山椒の枝や葉を釜で煮出す。その組成物を自動車などのフロントガラスに掛けたり、ウォッシャータンクに入れ吹付けたりする。その後、布かワイパーで油膜を拭取る。又、油で汚れた食器に直接液体を吹付け、食器洗い用たわしで擦り油汚れの洗浄に使う方法である。なお、組成物の使用形態は液体のままに限らない。
【発明の効果】
【０００５】
山椒を煮出した組成物を洗浄剤として使用することにより、自動車のフロントガラスの油膜取りや、食器の油汚れを洗い流すことが出来、自然の植物を使用しているのでクリーンな洗浄剤として環境汚染に配慮できる。
自動車のフロントガラスに機械油等を塗り付け油膜をつくり、山椒の煮出し液を掛けないで布で拭いた場合と、山椒の煮出し液を掛けて布で拭いた場合を試した結果、山椒の煮だし液を掛けない場合は油膜が伸ばされた状態になったが、山椒の煮出し液を掛けた場合は油膜が綺麗に落ちた。
また、食器に食用油を掛け、山椒の煮出し液を掛けない場合と掛けた場合の状態で食器用たわしで擦ってみれば、山椒の煮だし液を掛けない場合は食用油は落ちないが、山椒の煮出し液を掛けた場合は食用油が綺麗に落ちた。
【発明を実施するための最良の形態】
【０００６】
以下、本発明の実施の形態について説明する。
自動車のフロントガラスの油膜を取る場合、釜で煮出した山椒の液体組成物を自動車のウォッシャータンクに入れ、あるいは容器に入れておき、組成物の使用時に液体のまま、あるいは蒸気にして吹付けたりして、油膜をワイパーで拭取るか布で拭取る。
食器等の油汚れを取る場合、釜で煮出した山椒の液体を霧吹き容器に入れ、油で汚れた食器に直接吹付け、食器洗い用たわしで擦り油汚れを洗浄する。
【０００７】
（組成物の作成方法）
第１工程  山椒を枝と葉に分け、枝は３ｃｍ〜５ｃｍに切断する。
第２工程  釜に水１０リットルと、切断した山椒の枝を１０キロを入れ
る。（山椒の葉も枝と同様。）
第３工程  釜の水を９５度まで沸騰させ、山椒の枝を約２時間煮出す。（葉の場合は、７５度まで釜の水を暖め約２時間煮出す。）
第４工程  煮出した後、組成物の液体を冷まし容器に詰める。
(57)【要約】【課題】  この発明は、外出先で手洗いする時にすぐに取り出せて、しかも携帯に便利な携帯用石鹸に関するものである。【解決手段】  容器（２）にふた（３）を設け、このふた（３）に取出し口（４）およびふた（５）を設けて、石鹸（１）を取り出して使う。【選択図】  図１
2005042077.tif 000002
【特許請求の範囲】
【請求項１】
（イ）断面が楕円形で筒状の透明なプラスチック容器（２）に同様の形のふた（３）を設ける。
（ロ）ふた（３）のやや上方に、長さがふた（３）の円周の３分の１程度、幅が石鹸（１）の厚さより少し長い取出し口（４）を設ける。
（ハ）取出し口（４）には上下にスライドするふた（５）を設ける。
（ニ）プラスチック容器（２）には携帯するための紐（７）を固定する穴のあいた突起（６）を設ける。
（ホ）プラスチック容器（２）に石鹸（１）を入れる。
以上の如く構成された、携帯用石鹸。
【請求項２】
液体石鹸を片栗粉と混合し少し乾燥させた固形石鹸を、楕円形の筒状に成形し糖衣によりコーティングした石鹸（１）を内容物とした携帯用石鹸。
【発明の詳細な説明】
【技術分野】
【０００１】  この発明は、外出先で手洗いする時にすぐに取り出せて、しかも携帯に便利な携帯用石鹸に関するものである。
【背景技術】
【０００２】  従来、外出先等で手を洗う際に、近くに石鹸がない場合や、あっても他人が使用したものであり使いたくない場合には、やむを得ず水洗いだけで済ませていた。これは清潔でありたいと願う人にとっては、とてもストレスがたまることであり、ウィルス性疾患の予防的観点からも好ましい事ではなかった。
また、家庭用の化粧石鹸やハンドソープを持ち歩くこともあるが、大きいことと使用後水濡れ等で不便であった。
【発明の開示】
【発明が解決しようとする課題】
【０００３】  本発明は、外出先・訪問先等での手洗いをより清潔に行なうことを可能にし、しかもウィルス性疾患の予防のためにも、いつでもどこでも清潔に使える石鹸を携帯することは重要な事であるとの要望にこたえるために発明されたのである。
【課題を解決するための手段】
【０００４】  本発明の構成を説明すると、
（イ）容器（２）に石鹸（１）を入れる。
（ロ）容器（２）にふた（３）をかぶせる。
（ハ）ふた（３）には石鹸（１）の取出し口（４）とそのふた（５）を設ける。
（ニ）容器（２）には携帯用紐（７）を取付ける穴のあいた突起（６）を設ける。
以上のように装置する。
【発明の効果】
【０００５】  いつでもどこでも石鹸による手洗いが可能になり、病気の予防にもつながる。また、石鹸は補充が可能であり不必要な容器の製造が行われず、環境保全にもなる。
【発明を実施するための最良の形態】
【０００６】  本発明の実施の形態を述べると、手洗いをする前に、ふた（５）を開け中の石鹸（１）を取り出しふたを閉める。紐（７）はハンドバック等に結んでおくことにより、いつでもすぐに石鹸を使う事が出来る。
また、石鹸（１）は糖衣によりコーティングされており衣類やバッグを汚すことはない。
【実施例１】
【０００７】  紐（７）をハンドバッグの取っ手等に付けておくことにより、手を洗う時にふたを開けて石鹸（１）をすぐに取り出し使用することが出来る。
【図面の簡単な説明】
【０００８】
【図１】  本発明の斜視図
【符号の説明】
【０００９】  １  石鹸
２  容器
３  容器のふた
４  石鹸の取出し口
５  石鹸の取出し口のふた
６  穴の開いた突起
７  ひも
【図１】
2005042077.tif 000003
(57)【要約】【課題】従来は、剥離紙がついている粘着テープから剥離紙を剥がすには、爪を剥離紙がついている粘着テープの切断面に当てて行うのが普通であり、大変面倒であった。またこれを解決するための器具も、はぼ円柱状の圧接片とほぼ円柱状の被圧接片を利用したものであり、大変大がかりで複雑な構造の器具であった。【解決手段】上記の目的を達成するために、剥離紙がついている粘着テープを粘着テープを貼っておいたビニールの間に挟み込み、その後そのビニールを開けると剥離紙がついている粘着テープから剥離紙を剥がすことができる器具を発明した。【選択図】図１
2005042080.tif 000002
【特許請求の範囲】
【請求項１】
剥離紙がついている粘着テープを粘着テープを貼っておいたビニールの間に挟み込み、その後そのビニールを開けると剥離紙がついている粘着テープから剥離紙を剥がすことができる器具。
【発明の詳細な説明】
【技術分野】
【０００１】本発明は、剥離紙がついている粘着テープから剥離紙を剥がすための器具に関するものである。
【背景技術】
【０００２】従来の剥離紙がついている粘着テープから剥離紙を剥がす器具には、はぼ円柱状の圧接片とほぼ円柱状の被圧接片を利用したものがある（特許文献１参照）。
【特許文献１】特開２００１−１３９２１８号公報
【発明の開示】
【発明が解決しようとする課題】
【０００３】従来は、剥離紙がついている粘着テープから剥離紙を剥がすには、爪を剥離紙がついている粘着テープの切断面に当てて行うのが普通であり、大変面倒であった。またこれを解決するための器具も、はぼ円柱状の圧接片とほぼ円柱状の被圧接片を利用したものであり、大変大がかりで複雑な構造の器具であった。
【課題を解決するための手段】
【０００４】上記の目的を達成するために、剥離紙がついている粘着テープを粘着テープを貼っておいたビニールの間に挟み込み、その後そのビニールを開けると剥離紙がついている粘着テープから剥離紙を剥がすことができる器具を発明した。
【発明の効果】
【０００５】本発明は、従来の技術に比べて、ビニールと粘着テープのみで制作できるので、非常に簡易な構造で、安価で、省スペースのもので課題を解決することができる。
【発明を実施するための最良の形態】
【０００６】発明を実施するための最良の形態を図面を参照しながら説明する。
【実施例】
【０００７】透明のビニールを図１のような形に切り取る。図１の（１）（２）は切り抜いている状態である。【０００８】図１の（３）の部分で折り曲げ左右がほぼ重なるようにする。この（３）の部分を中心に開閉することができる状態である。【０００９】図１の（１）と（２）の部分にセロテープを外側から貼る。このようにするとこの器具は完成する。【００１０】剥離紙がついている粘着テープの切断面の角を、図１の（１）と（２）の間に挟み、押さえる。その後図１の（４）と（５）を左右の手でそれぞれを摘んで開く。このようにすると、剥離紙がついている粘着テープから剥離紙を剥がすことができる。
【産業上の利用可能性】
【図面の簡単な説明】
【図１】剥離紙がついている粘着テープから剥離紙を剥がす器具を示す平面図である。
【図２】剥離紙がついている粘着テープから剥離紙を剥がす器具を示す底面図である。
【図３】剥離紙がついている粘着テープから剥離紙を剥がす器具を示す正面図である。
【図４】剥離紙がついている粘着テープから剥離紙を剥がす器具を示す側面図である。
【符号の説明】
１粘着テープ貼り付け位置
２粘着テープ貼り付け位置
３折り曲げ位置
４剥がす時の摘み
５剥がす時の摘み
【図１】
2005042080.tif 000003
【図２】
2005042080.tif 000004
【図３】
2005042080.tif 000005
【図４】
2005042080.tif 000006
(57)【要約】【課題】街頭の塀壁や電柱に貼られたビラや落書きを解決するために糊の接着効力をなくしまた落書きを消し易くする塗料を提供する【解決手段】有機溶剤２に廃棄発泡スチロール１を溶解してコーティング材塗料６を作ることにある【選択図】図１
2005042078.tif 000002
【特許請求の範囲】
【請求項１】
溶解した廃棄発泡スチロール溶液を原料としたものを街頭の塀や電柱に塗装することによって違法に貼られるビラや張り紙等の接着効力をなくす性能と落書きを消し易くする効果を持つ塗料。
【発明の詳細な説明】
【技術分野】
【０００１】本発明は街頭の塀や電柱に貼られるビラや張り紙また落書き等を解決する。
予め違法に張り紙を掲載する場所や落書きの恐れのある場所にスチロール溶液を原料とするコーティング材塗料を塗装することによって糊の接着効力をなくしまた落書きを消し易くするものである。
【背景技術】
【０００２】従来はビラ等張り紙が貼られる恐れのある場所を金網やゴム板等で囲み防御していた。
【発明の開示】
【発明が解決しようとする課題】
【０００３】街頭の塀壁や電柱など至る所に張り紙や落書きが氾濫している。街の美観は損なわれまた青少年の教育に悪影響を及ぼすなど社会問題のひとつにあげられている。張り紙を剥がし落書きを消すために多くの労力と費用を要している。本発明はこの課題を解決するためになされたものである。
【課題を解決するための手段】
【０００４】廃棄発泡スチロール溶液を原料とするコーティング材塗料は有機溶剤２に廃棄発泡スチロール１を投入攪拌してコーティング材塗料６とすることにある。
有機溶剤２は主に芳香族有機溶剤またはハロゲン化有機溶剤を使用する。
塗料の使用目的によってアルコール・エーテルまたはエステルを添加して粘度を調製する。
【発明の効果】
【０００５】街頭の塀壁や電柱に塗付することによって張り紙や落書きを簡単に除去することができる。
【発明を実施するための最良の形態】
【０００６】以下本発明の実施の形態について説明する
（イ）廃棄発泡スチロール１を容器４内に投入する
（ロ）容器４に有機溶剤２を注入する
（ハ）塗料の乾燥を速める必要があるときはアルコール・エーテル・エステル等３を添加する
（ニ）注入後攪拌機５で以って攪拌する
（ホ）攪拌後容器４から取り出しバルブ７を経てコーティング材塗料６を取り出す
【実施例】
【０００７】市販のコンクリートブロックにて塗装実験をおこなった。各種の接着剤にて張り紙をおこない、マジック等にて落書きをおこないはがれ具合落ち具合を確認した。
【産業上の利用可能性】
【０００８】新しい化学素材を使用せず廃棄された材料にて製造できる。特に廃棄発泡スチロールの再利用の新しい研究は進んでいない。電信柱、街頭、信号、シャッター面等に使用され範囲は広がっている。
【図面の簡単な説明】
【０００９】混合撹拌槽にて製造する。【図１】 
【００１０】本発明の工程である
【符号の説明】
１  廃棄発泡スチロール
２  有機溶剤
３  エステル・エーテルまたはアルコール
４  容  器
５  攪拌機
６  コーティング材塗料
７  取り出しバルブ
【図１】
2005042078.tif 000003
(57)【要約】【目的】  １成分形変性シリコーン系、ポリウレタン系シーリング材自体に高い接着性を与えることでプライマーを使用せず自己接着できるシーリング材を提供すること。【構成】  １成分形変性シリコーン系、ポリウレタン系シーリング材に微量の微粒子クエン酸結晶体を改質剤として添加配合した１成分形シーリング材。【特許請求の範囲】
【請求項１】
シーリング材中に微粒子クエン酸結晶体を微量配合ブレンドすることを特徴とする自己接着性シーリング材。
【発明の詳細な説明】
【発明の詳細な説明】
【産業上の利用分野】
【０００１】本発明は、被着体にプライマーを塗布、使用せず、シーリング材に接着性を附与し、自己接着させる方法に関するものである。
【背景技術】
【０００２】従来、シーリング施工はプライマーの使用が接着の前処理として必要であった。しかしプライマーは被着体の種類に応じて数種類のプライマーを選択し使用する必要があった。
換言すれば、プライマーの選択及び塗布方法はシーリング材に期待する性能を発揮できるかどうかを左右するものであった。
しかし被着体の種類によっては微妙な関係にあることが多く、塗装の種類、焼付け叉は乾燥条件、表面処理などによって接着性が著しく異なることが多く問題であった。
特に一般住宅の外壁サイディング構成の場合１成分形変性シリコーン系が多用されているが、プライマーの溶剤臭や毒性による周辺住民の苦情が多い、プライマーは一般的に溶媒として芳香族系、エステル系、ケトン系、脂肪族系等の消防法で規定する第４種の危険物であり叉有機溶剤中毒予防規則で規定する第２種有機溶剤を含有しているため人、環境にとって好ましいのではなく火気にも注意を要するものである。
【発明が解決しょうとする課題】
【０００３】本発明は、前記これらの問題を解決する条件としてカートリッジ容器内で反応硬化しない成分の添加配合で１成分形シーリング材に自己接着性を与える研究に着手したものである。
【課題を解決する為の手段】
【０００４】シーリング材中にクエン酸（無水結晶体）微粒子を添加配合する。
１成分形変性シリコーン系シーリング材１００部／クエン酸微粒子０，１〜０，３部。
１成分形ポリウレタン系シーリング材１００部／クエン酸微粒子１〜２部。以上の組成で配合ブレンドすることを特徴としている。
（請求項１）
【作用】
【０００５】シーリング材中に微量分散された、クエン酸結晶体（Ｃ６Ｈ８０７）は酸性（ＣＯＯＨ）カルボキシル基生成で変性シリコーンの−ＯＨ，と反応、またポリウレタン系とは活性水素を含む硬化剤成分中の極性分子及び遊離−ＮＯＨとの相互で生じる２次結合のうち最も強い相互作用で結合する。被着体とシーリング材の相互界面は極性基濃度の高まりによる表面エネルギィー増大で濡れがよくなり相乗効果で強固に接着する。
そして添加されたクエン酸は、水分を含まない無水結晶体微粒子である為、カートリッジ保存中の内容成分による水分による硬化反応は生じることはなく、逆に反応前の基材中の変性シリコーン系に代表される様な微量の水分子をクエン酸結晶体内に吸収する能力で、従来よりも貯蔵安定性が良くなる効果がある。
【実施例】
【０００６】以下、本発明の実施例を説明する。
（実施例−１）【０００７】変性シリコーン系シーリング材（日本ＮＳＣ（株）デュアリボンＭＳ）１００部／クエン酸微粒子（結晶体）０，１部を組成ブレンドする。
この組成の硬化時間は５時間であり、従来プライマーを併用しないと接着性が悪いとされているフロートガラス、陽極酸化皮膜ＡＬ，スレート板にプライマー塗布条件なしで、強固に自己接着する。従来、表面硬化が早いことが変性シリコーン系の特徴であったが表面硬化時間は遅くなる傾向を示し、可使時間が長くなり、余裕のある十分なヘラ押さえ表面仕上げが可能となった。
そして硬化した本発明変性シリコーン系シーリング材の薄層未硬化現象は皆無であり、中モジュラスで繰り返し追従性に優れたグレジングを用途とする様な優れたゴム弾性体が得られる。
（実施例−２）【０００８】１成分形変性シリコーン系シーリング材１００部／クエン酸微粒子（結晶体）０，３部を組成ブレンドする。
この組成の硬化物の被着体に対する接着性能は実施例１と同様にフロートガラス、ＡＬ、スレート板、モルタルテストピ−スに対しても高い接着性を示す意外に、非極性樹脂であるＰＰ／ＰＥ／ＰＴＦＥに対しても可也、高い接着性を示し、７〜１２ｋｇｆ／ｃｍ２の範囲の接着性があり、高モジュラス体である。
（実施例−３）【０００９】１成分形ポリウレタン系シーリング材（世界長（株）Ｕ−１・ＮＢ）１００部／クエン酸微粒子（結晶体）２部を組成ブレンドする。
この組成に改質したポリウレタンシーリング材は従来、接着が困難であったフロートガラス、ＡＬ，ＳＵＳ３０４ステンレス板，ＰＥＴ，ＰＰ，ＰＥ，ＰＯＭ樹脂などの被着体にも１０〜１５ｋｇｆ／ｃｍ２の値を示す接着性がある。【００１０】汎用性の多い１成分形変性シリコーン・ポリウレタンなどのシーリング材を研究対象とした為、水分子を含まない微粒子クエン酸結晶体を見出し添加した効果は大きくシーリング材中に添加配合してもカートリッジ容器内で反応硬化することはなく、逆に従来のシーリング材中に極微量含まれる水分子を結晶クエン酸内部に吸引させることができることで貯蔵安定性が確保される。従来、高価な防湿紙缶タイプの容器を使用することで保存性を高めていたが、更に低価格のポリエチレン製のカートリッジ容器に変換可能となる可能性も高く経済効果もある。【００１１】本発明のクエン酸配合効果は、１、２成分形シーリング材に限らず試験結果では、溶剤型クロロプレン接着剤や不飽和ポリエステル樹脂、ビニールエステルモノマー（エポキシアクリレート）、塩素系ゴムなどにもその効果があり、本発明の要旨を逸脱しない限り本発明に含まれる。
【発明の効果】
【００１２】１、微粒子クエン酸結晶体をシーリング材種に応じた添加量を調整することでシーリング材自体に自己接着性能を与えることが出来、従来の様に溶剤中毒性のあるプライマーを使用することなく人に優しいシーリング施工が可能となる。
２、従来のシーリング材は、非極性樹脂に対し接着させることは前例がない程困難なことであったが、通常の清掃程度の表面処理を行うことで高い接着性が期待できることが判明した。
(57)【要約】【課題】ヘルメットを脱がずに汗の始末をする。【解決手段】ヘルメットのヘッドバンド３の内側に吸汗部材８を設けることによって、着用者の額に吸汗部材８を当接させ、ヘルメットを着用させたままの状態で流れ落ちる汗を吸汗部材８に吸収保持させる。又、吸汗部材８を着脱自在と成すことによって、汗吸収後の吸汗部材８を交換可能とする。【選択図】        図１
2005042228.tif 000002
【特許請求の範囲】
【請求項１】
ヘッドバンドの内側に吸汗部材を着脱自在に設けたことを特徴とするヘルメット。
【請求項２】
板体を横長湾曲状に形成し、該板体にヘルメットのヘッドバンドに固定可能な装着用具を設け、板体の凹面側には吸汗部材を設けたことを特徴とするヘルメット用の吸汗具。
【請求項３】
上記吸汗部材を板体に着脱自在に設けたことを特徴とする請求項２記載のヘルメット用の吸汗具。
【発明の詳細な説明】
【０００１】
【発明の属する技術分野】
本発明は、作業現場で着用されるヘルメット及びヘルメット内に装着して着用者の汗を吸収保持するヘルメット用の吸汗具に関する。
【０００２】
【従来の技術】
従来、ビルの建築現場、道路工事現場等の作業現場ではヘルメットの着用が義務付られている。
【０００３】
研究開発段階や出願段階で先行技術調査を行っておらず、記載すべき先行技術文献を知りません。
【０００４】
【発明が解決しようとする課題】
ところが、特に夏季のヘルメットの内側は耐え難い程に蒸し暑く、このため本来現場で脱いではならないヘルメットを度々脱いで、流れ落ちる汗を拭わなければならず、その度危険であるだけでなく、大変煩わしかった。
【０００５】
【課題を解決するための手段】
本発明は、上記課題に鑑み、ヘルメットのヘッドバンドの内側に吸汗部材を着脱自在に設けることによって、着用者の額に吸汗部材を当接させ、ヘルメットを着用させたままの状態で流れ落ちる汗を吸汗部材に吸収保持させる様にして、上記課題を解決する。
【０００６】
【発明の実施の形態】
以下本発明の一実施例を図面に基づいて説明する。
図１は本発明に係るヘルメットの縦断面図であり、１はヘルメット着用者の頭部を覆う帽体、２はクッション、３はヘッドバンド、４は顎紐である。
本発明のヘルメットは、ヘッドバンド３の内側にして着用者の頭部と接触する側に吸汗具５を着脱自在に設けている。
【０００７】
図２〜６に示す様に、吸汗具５は、板体６を横長湾曲状に形成し、該板体６の上下部にヘルメットのヘッドバンド３に固定可能な装着用具７を設け、板体６の凹面側には吸汗部材８を設けている。
吸汗部材８としては、吸水性の素材、例えばタオル生地を幾重にも重ねてパット状に形成したものや、通水性の素材で形成した袋に高吸水性ポリマーを封入したもの等で良い。
又、吸汗部材８を板体６に対し着脱自在と成す場合は、板体６の凹面、並びに吸汗部材８の裏面に面ファスナー９、９ａを夫々設け、かかる面ファスナー９、９ａで、板体６に吸汗部材８を止着する様にすれば良い。
【０００８】
装着用具７としては、図２、４に示す様に、板体６の上下部にベルト１０、１０ａ  を設け、下部ベルト１０ａ  の先端にリング１１を設けると共に、上部ベルト１０の先端と中間部に面ファスナー１２、１２ａ  を夫々設けるか、或いは、図５〜６に示す様に、板体６の上下部に鉤爪１３、１３ａ  を設けて装着用具７としても良い。
尚、鉤爪１３、１３ａ  はその先端を板体６の凸面中央方向に指向させている。
【０００９】
上記実施例では、吸汗部材８が板体６に取付けられ、該板体６をヘッドバンド３に取付けたヘルメットについて説明したが、例えばヘッドバンド３に面ファスナーを設け、該面ファスナーと、吸汗部材８の面ファスナー９ａで、ヘッドバンド３に吸汗部材８を止着する様にしても良い。
【００１０】
次に本発明の吸汗具の装着方法及びヘルメットの作用について説明する。
先ず、ヘッドバンド３の前部内側に吸汗具５（板体６）の凸面を当接させ、下部ベルト１０ａ  のリング１１に上部ベルト１０を挿通し、先端側を折り返して上部ベルト１０の先端側の面ファスナー１２を中間部のファスナー１２ａ  に止着する（図４参照）。
尚、装着用具７として鉤爪１３、１３ａ  を採用した吸汗具５の場合は、上下の鉤爪１３、１３ａ  の間にヘッドバンド３を挿通する（図６参照）。
そして、吸汗具５が装着されたヘルメットを着用すると、吸汗具５の吸汗部材８はヘルメットの自重で着用者の額に密着し、額を流れ落ちる汗を吸収して保持する。
【００１１】
【発明の効果】
要するに本発明は、ヘルメットのヘッドバンド３の内側に吸汗部材８を設けたので、ヘルメットを着用したまま、着用者の額に押し付けられた吸汗部材８に額の汗を吸収させることが出来、ヘルメットを度々脱いで汗を拭い取る必要が無く、作業中の安全性を確保出来るだけで無く、汗を拭う煩わしさを解消することが出来る。
又、吸汗部材８を着脱自在と成したので、湿った吸汗部材８をヘルメットから取り外して洗濯済のものと交換でき、常に清潔で心地よい使い心地を得ることが出来る。
【００１２】
所定の規格に適合したヘルメットの内側には必ずヘッドバンド３が備えられており、吸汗具５の板体６を横長湾曲状に形成したので、板体６がヘッドバンド３にピッタリとフィットし、板体６にヘッドバンド３に固定可能な装着用具７を設けたので、市販ヘルメットの殆ど全てのものに対し、吸汗具５を装着することが出来きるため、従前から使用していたヘルメットをそのまま使用することが出来る。
又、板体６の凹面側には吸汗部材８を設けたので、ヘルメットの自重で吸汗部材８は着用者の額に密着し、額を流れる汗を吸汗部材８で受け止めて吸収保持することが出来る。
【００１３】
上記吸汗部材８を板体６に着脱自在に設けたので、板体６をヘルメットから取り外さなくても、吸汗部材８だけを交換して、上記ヘルメットと同様、常に清潔で心地よい使いごごちを得ることが出来る等その実用的効果甚だ大である。
【図面の簡単な説明】
【図１】本発明に係るヘルメットの縦断面図である。
【図２】装着用具としてベルトを用いた吸汗具の使用状態図である。
【図３】図２のＡーＡ断面図である。
【図４】図２のＢーＢ断面図である。
【図５】装着用具として鉤爪を用いた吸汗具の使用状態図である。
【図６】図５のＣーＣ断面図である。
【符号の説明】
５        吸汗具
６        板体
７        装着用具
８        吸汗部材
【図１】
2005042228.tif 000003
【図２】
2005042228.tif 000004
【図３】
2005042228.tif 000005
【図４】
2005042228.tif 000006
【図５】
2005042228.tif 000007
【図６】
2005042228.tif 000008
(57)【要約】【課題】  トレッキング・登山等で、一時期に大量に汗をかいたとき、汗に濡れた下着が不快な状況下において、隠れる所が無い場所では下着等の着替えが困難であった。【解決手段】  上着・シャツ等の下に図１の汗取りタオル下着を装着。前後両身ごろを互いに連結するために胸前に設けてあるマジックテープ（登録商標）３と、前記両身ごろの両脇に設けてあるホック４を外すことにより、上着・シャツ等を脱がずに前後の身ごろを分離し、下から引き抜くことが出来る。よって、人前で服を脱ぐことなく汗に濡れた下着を取り除くことができる。【選択図】図１
2005042272.tif 000002
【特許請求の範囲】
【請求項１】
タオル生地からなる前身ごろ及び後ろ身ごろと、前身ごろ及び後ろ身ごろの上縁に切りかかれた首部分と、前記両身ごろを互いに連結するために両肩口に設けられた第一の連結手段と、両脇に設けられた第二の連結手段と、を有することを特徴とする登山に便利な汗取りタオル下着。
【請求項２】
第一の連結手段をマジックテープ（登録商標）とし、第二の連結手段をホックを用いて構成したことを特徴とする請求項１に記載の登山に便利な汗取りタオル下着。
【発明の詳細な説明】
【発明の詳細な説明】
【技術分野】
【０００１】  この発明は、登山等の汗取り用に用いるタオル下着の形状に関する。
【背景技術】
【０００２】  従来の汗取りタオルの形状は、図５に示すように、バスタオル状の長方形、本体４の形状で、頭を入れるところにはカット部１が入っていて、両サイドには前後の両身ごろを結ぶ胴ひも２、肩口にはシャツの襟首より上に引き抜くための肩ひも３が設けられたものである。
【発明が解決しようとする課題】
【０００３】  しかしながら、以上の従来技術によれば、一般的な長方形な形状のタオルに切れ目を入れただけでは、首周りが開かず苦しいし、服を着たまま図４、図５に設けてあるように、上に引き抜く肩ひも３だけで、汗に濡れたタオル地を実際に引き抜くことは、実験の結果かなり困難であった。うまく引き抜けたとしても、濡れたタオル地が顔などに触れるなどして、不快である。また、肩口の幅が広すぎるため、上着、シャツ等の下に装着した場合かなり邪魔になる。
そこで、この発明は、自分一人で簡単に着脱でき、登山等の外出先で容易に着替えることが困難なときの不快な汗を素早く取り除く汗取りタオル下着を提供することを課題とする。
【課題を解決するための手段】
【０００４】  以上の課題を解決するために、請求項１の発明は、タオル生地からなる前身ごろ及び後ろ身ごろと、前身ごろ及び後ろ身ごろの上縁に切りかかれた首部分と、前記両身ごろを互いに連結するために両肩口に設けられた第一の連結手段と、両脇に設けられた第二の連結手段と、を有することを特徴とする登山に便利な汗取りタオル下着である。
また、請求項２の発明は、第一の連結手段をマジックテープ（登録商標）とし、第二の連結手段をホックを用いて構成したことを特徴とする登山に便利な汗取りタオル下着である。
【発明を実施するための最良の形態】
【０００５】  この発明の一実施形態を、図１に示す。
前身ごろ及び後ろ身ごろ１，２はタオル生地であり、ランニングシャツ状の形態である。前記両身ごろ１，２の下部は、Ｕ字形になっている。両身ごろを互いに連結するための第一の連結手段のマジックテープ（登録商標）３は、肩口より少し下側の胸前に設けてある。第二の連結手段のホック４は、前記両身ごろ１，２の両側の帯状の布５の先に設けてある。
「実施形態の効果」【０００６】  この実施形態によれば、第一の連結手段のマジックテープ（登録商標）３と、第二の連結手段のホック４が設けられていることにより、上着、シャツ等を脱がずに服の中でマジックテープ（登録商標）とホックを外し汗取りタオル下着を分離させ、上着、シャツ等の裾より下に引き抜くことが可能である。したがって登山等の外出時に人前で着衣を脱ぐことなく取り外すことが可能になる。【０００７】  また、第一の連結手段のマジックテープ（登録商標）３の設けてある位置が肩の上ではなく、胸の前の位置にあることにより、登山におけるリュックサック等の荷物を背負ったときに、リュックサック等の肩ひもの下に前身ごろ及び後ろ身ごろを互いに連結するために設けられたマジックテープ（登録商標）３の、重なり合った部分が入り込まず違和感がない。【０００８】  また、前身ごろ及び後ろ身ごろ１，２の下部の形状をＵ字形にすることにより、前記両身ごろをシャツ等と一緒にズボンの中に入れた場合、より広い範囲の汗を取り除けることと、ズボンの中がタオル下着により、もたもたすることが防げる。
「他の実施形態」【０００９】  図１の実施形態では、第一の連結手段のマジックテープ（登録商標）３の位置が胸の前の位置に設けてあったが、リュックサック等の荷物を背負わないなど、肩の上部に加重が掛からないときは、第一の連結手段のマジックテープ（登録商標）３の連結部分の位置は、肩の真上に設けても良い。
【発明の効果】
【００１０】  以上説明したように、この発明によれば、タオル生地からなる前身ごろ及び後ろ身ごろの上縁に切りかかれた首部分により、首周りのタオル生地による締め付けの苦しさからの問題が解決し、ランニングシャツ状の形態にしたことにより、肩口の生地剰りによる違和感がなくなった。
【００１１】  また、前記両身ごろを互いに連結するために両肩口に設けられた第一の連結手段のマジックテープ（登録商標）と、両脇に設けられた第二の連結手段のホックにより、それらを服の下で外すことで両身ごろを分割して服の裾から引き抜けるようにしたことにより、濡れたタオル下着を襟元より上に引き抜かなくても外すことが可能になったため、顔などに汗で濡れたタオル下着が触れたりする不快なことが無くなった。
【００１２】  前記のことにより、汗取りタオル下着を人前でも服を脱がずに取り外せることが出来るようになったため、登山等で汗に濡れて不快な下着を、冷えてつめたくなる前に、素早く解消することが可能になった。
【図面の簡単な説明】
【００１３】
【図１】  この発明の一実施形態を示す正面図である。
【図２】  この発明の一実施形態を示す側面図である。
【図３】  この発明の展開図である。
【図４】  従来技術を示す正面図である。
【図５】  従来技術を示す展開図である。
【符号の説明】
【００１４】  ▲１▼前身ごろ
▲２▼後ろ身ごろ
▲３▼マジックテープ（登録商標）
▲４▼ホック
▲５▼帯状のホックを取り付ける布
【図１】
2005042272.tif 000003
【図２】
2005042272.tif 000004
【図３】
2005042272.tif 000005
【図４】
2005042272.tif 000006
【図５】
2005042272.tif 000007
(57)【要約】【目的】  エクステンションは地毛に直接接着するので、シャンプーやブラッシングの際に抜けてしまう。また、短時間で髪型を自由に変えたいという方の要望に応えることを目的とする。【構成】  エクステンション（１）にスプリングコーム（３）をとり付けることで、短時間でとり外し可能になりシャンプーやブラッシングがしやすくなった。【選択図】  図１
2005042274.tif 000002
【特許請求の範囲】
【請求項１】
エクステンション（１）の根元を編みこんだ部分（２）にスプリングコーム（３）をとり付けたエクスピース。
【発明の詳細な説明】
【発明の詳細な説明】
【産業上の利用分野】
【０００１】  この発明は、エクステンションの根元を編みこんだ部分にスプリングコームをとり付けたエクスピースに関するものである。
【背景技術】
【０００２】  従来のエクステンションは、束状になっている毛束を細かく分けとり地毛と編みこんで地毛に直接接着するものであった。
【発明が解決しようとする課題】
【０００３】  これはつぎのような欠点があった。
従来のエクステンションは、地毛とエクステンションを接着するのに、地毛とエクステンションを４〜５回編みこみファイバー状のエクステンションを巻きつけ専用のアイロンで熱処理して接着するため、２〜３時間の施術時間を要して技術的にも専門の知識のある者でしか施術が不可能である。また、エクステンションと地毛を直接装着装着するため、シャンプーやブラッシングの際に抜けてしまう。
本発明は、以上のような欠点をなくすためになされたものである。
【課題を解決するための手段】
【０００４】  エクステンションを少量に分けた毛束（１）を編みこみ（２）スプリングコー厶（３）にからめてとり付けたものである。
本発明は以上の構成よりなるエクスピースである。
【作用】
【０００５】  本発明品のスプリングコーム部分（３）を地毛に差し込んで装着する。
【実施例】
【０００６】  以下、本発明の実施例について説明する。
エクステンションの毛束を数量ずつに分け（１）編み込みながらからみ付け専用のアイロンで熱処理した箇所を（２）をスプリングコーム（３）にとり付ける。  これを２つずつ作りスプリングコーム部分（３）を重ねる。
本発明は、以上のような構造でこれを使用するときは、人体の頭部にスプリングコーム（３）を差し込んで装着する。その結果簡単にとりはずしができる。
【発明の効果】
【０００７】  装着部分がスプリングコーム（３）なので、自分ひとりで簡単に自然な感じにエクステンションを装着でき、シャンプーやブラッシングの際はとりはずしておくことが可能となった。
【図面の簡単な説明】
【図１】本発明の正面図である。
【符号の説明】
１  エクステンション
２  接着部分
３  スプリングコーム
【図１】
2005042274.tif 000003